(57)【特許請求の範囲】
【請求項１】
隣り合った窓縦枠同士間で、左右縦框がそのほぼ中間高さ位置で回動可能に軸支された窓を複数並設している連窓の開閉制御機構において、
各窓の回動を制御して開閉を行う駆動機構と、
該駆動機構による窓の開閉と連動して、閉鎖完了状態の各窓の施錠を行うと共に、開窓駆動開始前に施錠の解除を行うロック機構と、
所定の環境状況を測定するセンサー部と、
このセンサー部による測定情報から予め定められた開閉のための設定値を検知し、この検知結果に基づいて、前記駆動機構およびロック機構に対して開閉動作を指令する制御部とを備え、
前記複数の窓のそれぞれの閉鎖完了状態を検知する閉鎖検知手段をさらに備え、前記制御部は、閉窓動作において前記閉鎖検知手段から全窓の閉鎖完了状態の検知信号が得られないとき、仮の開窓動作を指令して前記ロック機構に施錠を解除させ、前記駆動機構に全窓を開方向に回動させてから閉窓動作を再開させるやり直し動作を繰り返させるものであることを特徴とする連窓開閉制御機構。
【請求項２】
前記閉鎖検知手段は、各窓の対応する窓枠毎に設置された近接センサーを備えていることを特徴とする請求項１に記載の連窓開閉制御機構。
【請求項３】
前記センサー部は、風速センサー、雨検知センサー、温湿度センサーのうちの少なくとも一つを備えていることを特徴とする請求項１または請求項２に記載の連窓開閉制御機構。
【請求項４】
前記各窓の予め定められた開角度位置で窓の所定部位に当接し、該所定部位の衝突時に弾性収縮して衝撃を吸収する緩衝部材を備えたことを特徴とする請求項１に記載の連窓開閉制御機構。
【請求項５】
前記緩衝部材が窓の所定部位に当接する開角度より若干大きい開角度位置で前記緩衝部材の収縮時に窓の框に当接し、該框の衝突時の衝撃を検出する衝撃センサーを備え、
前記制御部は、前記衝撃センサーにより予め定められた設定値以上の衝撃力が検出された際に閉窓動作を指令するものであることを特徴とする請求項４に記載の連窓開閉制御機構。
【発明の詳細な説明】
【技術分野】
【０００１】
本発明は、連窓の開閉を自動制御する機構に関するものである。
【背景技術】
【０００２】
従来から、各種建築物において、天井の高い室の換気用高窓や、壁に窓が設置できない部屋の屋根部に設けられた明かり取り、所謂トップライトとしての高窓などの直接手の届かない連窓では、遠隔的に連窓の開閉操作が行える構成を備えたものがある。最近では、風雨等の天候や気温の変化など、室外および室内の環境条件をセンサーによって検知し、自動的に連窓の開閉を行う駆動制御機構を備え、さらには連窓の開閉駆動制御に連動して自動的に閉状態の窓の施錠および解除を行うロック制御機構をも備えたものもある。
【０００３】
例えば、各窓に閉方向の駆動力が順次伝達されて閉窓状態を得る場合、最後に閉じられる窓に対して窓閉鎖検出手段を設け、該検出手段からの閉鎖信号を受信することによって、全窓の閉鎖が完了したとしてロック制御機構へ施錠開始を命じ、全窓の施錠を行った後、施錠完了状態を示す信号を表示する構成のものがある（例えば、特許文献１参照。）。
【０００４】
【特許文献１】特開平９−４１７９６号公報
【発明の開示】
【発明が解決しようとする課題】
【０００５】
しかしながら、上記のような従来のロック制御機構では、閉鎖検出対象の窓以外の窓が、何らかの原因で閉鎖が完了していない場合でも、ロック制御機構による施錠駆動が開始されてしまう。従って、連窓で部分的に閉鎖が完了しておらず、施錠されないままの窓が、管理使用者に気付かれることなく存在するという危険性もあった。
【０００６】
このような全窓が閉鎖され施錠が完了しているはずの場合で、実際には前記のような未閉鎖で施錠が完了していない窓が存在している場合には、保安上の危険が生じるだけでなく、例えば強風が吹いている環境において、その窓が強風に煽られて制御機構の機械的強度を超えて無理矢理開けられたりするなど、駆動系に損傷が生じたり、その際の衝撃で窓自体が破損したりする危険性もあった。また、このような突発的な事故は、通常の全窓開状態においても起こり得るものであった。
【０００７】
本発明の目的は、上記問題点に鑑み、従来に比べてより確実で安全な連窓の開閉駆動が行える制御機構を提供することにある。特に、本発明は、確実な連窓の閉鎖施錠状態が得られる制御機構の提供を目的とする。また、本発明は、強風などによって突発的に発生する衝撃に対して、駆動系や窓自体の損傷、破損を回避できる連窓の開閉制御機構の提供を目的とする。
【課題を解決するための手段】
【０００８】
上記目的を達成するため、請求項１に記載の発明に係る連窓開閉制御機構は、隣り合った窓縦枠同士間で、左右縦框がそのほぼ中間高さ位置で回動可能に軸支された窓を複数並設している連窓の開閉制御機構において、各窓の回動を制御して開閉を行う駆動機構と、該駆動機構による窓の開閉と連動して、閉鎖完了状態の各窓の施錠を行うと共に、開窓駆動開始前に施錠の解除を行うロック機構と、所定の環境状況を測定するセンサー部と、このセンサー部による測定情報から予め定められた開閉のための設定置を検知し、この検知結果に基づいて、前記駆動機構およびロック機構に対して開閉動作を指令する制御部とを備え、前記複数の窓のそれぞれの閉鎖完了状態を検知する閉鎖検知手段をさらに備え、前記制御部は、閉窓動作において前記閉鎖検知手段から全窓の閉鎖完了状態の検知信号が得られないとき、仮の開窓動作を指令して前記ロック機構に施錠を解除させ、前記駆動機構に全窓を開方向に回動させてから閉窓動作を再開させるというやり直し動作を繰り返させるものである。
【０００９】
また、請求項２に記載の発明に係る連窓開閉制御機構は、請求項１に記載の連窓開閉制御機構において、前記閉鎖検知手段は、各窓の対応する窓枠毎に設置された近接センサーを備えていることを特徴とするものである。
【００１０】
さらに、請求項３に記載の発明に係る連窓開閉制御機構は、請求項１または請求項２に記載の連窓開閉制御機構において、前記センサー部は、風速センサー、雨検知センサー、温湿度センサーのうちの少なくとも一つを備えているものである。
【００１１】
また、請求項４に記載の発明に係る連窓開閉制御機構は、請求項１に記載の連窓開閉制御機構において、前記各窓の予め定められた開角度位置で窓の所定部位に当接し、該所定部位の衝突時に弾性収縮して衝撃を吸収する緩衝部材を備えたものである。
【００１２】
また請求項５に記載の発明に係る連窓開閉制御機構は、請求項４に記載の連窓開閉制御機構において、前記緩衝部材が窓の所定部位に当接する開角度より若干大きい開角度位置で前記緩衝部材の収縮時に窓の框に当接し、該框の衝突時の衝撃を検出する衝撃センサーを備え、前記制御部は、前記衝撃センサーにより予め定められた設定値以上の衝撃力が検出された際に閉窓動作を指令するものである。
【発明の効果】
【００１３】
本発明の連窓開閉制御機構によれば、閉窓動作において、閉鎖ロックの不完全状態を確認でき、より確実な閉鎖状態が得られるため、閉鎖不完全状態の放置による破損発生の可能性や保安上の問題は回避され、より安全性の高い連窓開閉制御が行えるという効果がある。
【００１４】
また、緩衝部材や衝撃センサーの利用により、窓開放時における突発的な強風などによる衝撃、破損等の事故も防止でき、より高い安全性を確保することができる。
【発明を実施するための最良の形態】
【００１５】
本発明では、連窓の開閉を自動的に制御する機構において、閉窓動作の際に連窓の全ての窓毎に閉鎖完了状態を検知する閉鎖検知手段を設け、全窓の閉鎖完了が検知されるまで、窓を開けてから閉窓動作をやり直させる動作を繰り返させるものであるため、窓閉鎖・施錠時において、連窓のなかで部分的に閉鎖が完了していない窓が存在してしまうというようなことは回避され、確実な窓の閉鎖が可能となる。
【００１６】
従って、連窓が部分的に閉鎖・施錠が完了していないのに使用者や管理者が気付かないままで放置された未閉鎖の窓が、突風などで煽られてその衝撃で駆動系や窓自身が損傷するなどの危険や、もちろん保安上の危険も回避される。
【００１７】
本発明における閉鎖検知手段としては、近接センサーを利用したものが簡便である。全窓の閉鎖状態をそれぞれ検知するために、この近接センサーを各窓の対応する窓枠毎に設置すれば良い。
【００１８】
なお、連窓のうちのいずれかに、事故や何らかの異常により故障が生じて閉鎖完了状態を得るのが不可能となった場合には、開閉やり直し動作を何度繰り返しても閉鎖感知手段から閉鎖完了状態の検知信号は得られない。そこで、開閉やり直し動作の繰り返し回数を予め数回程度に設定しておき、繰り返し開閉やり直し動作開始と同時にその繰り返し回数をカウントし、設定回数カウント後に閉鎖完了状態が検知されない場合は、異常信号を発生し、人為的な点検を促す構成とすることが望ましい。
【００１９】
また本発明における連窓開閉制御機構では、制御部が、所定の環境状況を測定するセンサー部による測定情報から予め定められた開閉のための設定値を検知し、この検知結果に基づいて駆動機構およびロック機構に対して開閉動作を指令するものである。
【００２０】
このセンサー部により検知する環境状況としては、雨の有無や風の強度、また室内外の温度や湿度などが挙げられる。即ち、雨の有無を検知する場合には、雨が降ってきたら閉窓動作を指令し、雨が止めば開窓動作を指令する。また、風がある程度以上強くなった時に閉窓動作を指令し、風が弱まれば開窓動作を指令する。また、室内が外に比べて熱すぎたり蒸れていれば開窓動作を指令し、室外が内側に比べて寒すぎたりした場合などは閉窓動作を指令したりなど、室内に雨や風が吹き込んだりすることのないように、また快適な室内温湿度を維持するために、これら環境状況の変化に応じて開閉駆動を制御することができる。
【００２１】
センサー部の構成としては、雨の有無を検知する雨センサー、風の強度を測定する風速センサー、室外または室内の温湿度センサー、などのうち少なくとも一つを備えたものとすればよい。
【００２２】
さらに、各窓の予め定められた開角度位置で窓の所定部位に当接して該所定部位の衝突時の衝撃を弾性収縮により吸収する緩衝部材を備えておけば、連窓の通常の開状態において、突然強風が発生して各窓を強く煽り上げようとしても、開閉駆動系に破損が生じてしまうほどの角度まで窓が開いたりすることなく適度な開角度位置で緩衝部材に衝突して抑えられると同時に、その際の衝撃も吸収されるので、突発的に強風が発生しても各窓の開閉駆動系や窓自体の損傷、破損は防止される。
【００２３】
なお、このような緩衝部材が当接する部位としては、窓のどの部分でもかまわないが、強度的に窓框に当接する構成が望ましい。また緩衝部材の固定部としては窓縦枠が最も取り付けやすく、この場合、窓縦枠に近い縦框に緩衝部材を当接させる構成とするのが設計上簡便で好ましい。
【００２４】
また、場合によっては、上記のような緩衝部材でも強い衝突が繰り返されるなど、いずれ衝撃が吸収しきれなくなるほどの強い力が作用することも考えられる。そこで、衝撃を検出するセンサーを更に備えておき、ある程度以上の衝撃が検知されたら、速やかに制御部から閉窓動作が指令されるように設定すれば、緩衝部材で吸収しきれなくなるまで強い衝突が繰り返されて駆動系および窓自身に損傷や破損が生じる恐れはなくなる。
【００２５】
この場合、衝撃センサーとしては、緩衝部材が窓の所定部位に当接する開角度より若干大きい開角度位置で緩衝部材の収縮時に窓の框に当接し、該框の衝突時の衝撃を検出するように設置する構成とすれば、緩衝部材が強く煽られた窓の部位との衝突時の衝撃をある程度吸収しつつ、その時の衝撃を窓の框との衝突によって検出することができる。
【００２６】
このような緩衝部材や衝撃センサーを設ける構成は、立地環境等によって風速センサーで強風を感知できないような建造物に関して特に有効である。即ち、強風を感知できずに窓開放状態のままである連窓に対し、強風による煽りを受けても緩衝部材により衝撃が緩和されたり、非常に強い煽りを受けても一度、衝撃センサーによって衝撃が検出されれば速やかに窓閉動作が行われるため、上記の如き風速検知が困難な建物の連窓であっても安全な開閉制御が可能となる。
【００２７】
なお衝撃センサーは、複数の窓のうちの一つに対して設置し、この一つの衝撃センサーによる衝撃検知結果に基づいて連窓全体の開閉を制御する構成とするのが簡便であるが、もちろん各窓に対して設置し、各窓毎に衝撃を検知できる構成としても良い。この場合、制御部は、どれか少なくとも一つまたは設定数以上の衝撃センサーで強い衝撃を検知した場合に全窓の閉窓動作を指令するものとすれば、より確実な強風対策となる。
【００２８】
また、開閉駆動機構が各窓を個別に開閉制御できる設計の場合には、衝撃センサーの検知結果に基づく閉窓動作も各窓について個別に行うことも可能である。
【００２９】
また、本発明の制御部からの指令により窓の開閉のための回動駆動を行う駆動機構およびロック機構の構成としては、制御部からの指令に従って自動的に窓開閉動作および施錠・解除動作が互いに連動して進行される構成であれば良く、従来から連窓の開閉機構に利用されてきた駆動機構やロック機構を広く利用できる。
【００３０】
以上のような本発明による連窓開閉制御機構の利用が有効な窓としては、自然換気窓が挙げられる。この自然換気窓には、例えば、建造物の外壁に加わる風圧を利用した風力式ものがあり、これは、所定値以下の微風又は無風状態、あるいは建造物の風下側に位置し、建造物の内側より外側の気圧が低くなっている窓を開放することによって、その負圧で内部の空気が外へ排出されて自然に換気が行われるものである。この場合、風を受ける風上側に位置し、建造物の内側の気圧が外側より低くなっている窓を閉鎖することによって風下側からの排気がより効率よく促進される。
【００３１】
このような風力式の自然換気窓においても、本発明の開閉制御機構によれば、風速センサーなどの検知結果に基づいて、微風又は無風状態にある風下側に位置する窓に対して開窓動作を指令して所定角度まで開放した開窓状態とし、風圧が加わっている風上側に位置する窓に対して閉窓動作を指令して閉窓状態とすることができ、さらに開窓状態にある窓において、雨が降ってきたり突発的な強風が発生した場合を検知した場合、速やかに閉窓動作を行わせることができ、またこれに連動して確実な施錠状態が得られる。
【００３２】
また本発明の連窓開閉制御機構の利用は、上記の風力式の自然換気窓に限らず、例えば、室内外の温度差による空気密度の差を利用した重力式にものにおいても有効である。これは、通常は建造物室内が各種熱源の存在により常に外部より高温となることに着目したものであり、室内では膨張して軽くなった上部の空気により、その室外側より気圧が高くなるため、その壁の上部に設けた窓を開放することによって室内の空気が外へ排出されて自然に換気が行われるものである。この場合、壁の下部に設けた窓も開放すれば、上部窓から排出されたもの相当の外気が室内に取り入れられる。
【００３３】
このような重力式自然換気窓においても、本発明の開閉制御機構によれば、温度センサーなどの検知手段によって、上記のような室内外の温度差による気圧差が検知された場合、開窓動作を指令して窓を所定角度の開放状態とすることができ、雨が降ってきたり突発的な強風が発生した場合を検知した場合、開放状態にある窓に対して速やかに閉窓動作を行わせ、これに連動して確実な施錠状態を得ることができる。
【００３４】
もちろん本発明の連窓開閉制御機構は、上記ような自然換気窓に限らず、他の通気用窓や採光用窓など、各種の連窓に広く利用可能であることは言うまでもない。
【実施例】
【００３５】
本発明の一実施例として、２列２行の４つの窓から構成される連窓の場合を例にその開閉制御機構について以下に説明する。図１は本実施例による連窓の概略構成図であり、（ａ）は正面図、（ｂ）は縦断面図である。図２は、本実施例による連窓の開閉制御機構を示す概略回路図である。図３は本実施例の制御部による基本の窓開閉動作を示すフロー図であり、図４は制御部による閉鎖検知手段からの検出結果に基づく開閉やり直し動作を示すものである。
【００３６】
図５は本実施例における窓の開閉の駆動機構を示す縦断面図、図６は本実施例のロック機構を示す説明図である。図７は本実施例における緩衝部材、図８は衝撃センサー部を示す部分拡大図である。
【００３７】
本実施例による連窓開閉制御機構は、図１の正面図に示すように、４つの窓２から構成される連窓１について、外部の環境状況を測定するセンサー部（不図示）からの測定結果に基づく制御部からの指令により駆動機構およびロック機構が作動されて、自動的に開閉を制御するものであるが、さらに、各窓下枠の各窓２の下框４に相対する位置に設置される近接センサー２０を用いた閉鎖検知手段を備え、閉窓動作時には確実な全窓閉鎖状態を得るものである。
【００３８】
本実施例における連窓１に用いられる開閉駆動機構としては、例えば、図５に示すような、窓２の上框５の室内側に設けられた錘６と、駆動源としての電動モータの回転運動が伝達されて駆動する開閉アーム８の回動機構とを利用したもので構成できる。
【００３９】
各窓２は、それぞれ隣合った窓縦枠同士間で左右縦框がそのほぼ中間高さ位置で回動可能に軸支されており、前記錘６の重みにより、上框５が室内側下方に付勢されるものである。従って、この付勢によって、自然状態においては各窓２の軸支部７より下部が室外側上方に持ち上げられ、窓の開放状態が得られる。
【００４０】
一方、開閉アーム８は、各窓の縦枠の室内側に設置され、その先端部に回転自在に設けられたローラＲが各窓２の縦框３に室内側で当接するものであり、前記錘６の下方への付勢に抗して縦框３をローラＲで軸支部７より上方で室内側から室外側へ押しつけることにより、窓２の閉鎖状態を得ることができる。
【００４１】
この開閉アーム８は、他端部が、駆動軸９を介して窓の軸支部７に近い高さ位置で窓縦枠に取り付けられており、駆動軸９の軸回転に伴って先端部側が回動するものである。この駆動軸９の回転は、駆動源である電動モータ（不図示）の回転軸に連結している縦軸１０からギア機構（不図示）を介して伝達される回転運動によるものである。
【００４２】
従って、制御部からの開窓動作指令により、モータが駆動すると、開窓方向の回転運動が伝達されて開閉アーム８は先端部が室内方向へ回動する。これによって、窓２の縦框３を室外側へ押さえつけていたローラＲは室内側へ後退し、これに伴って上框５の錘６の自重により窓２の上部が室内側へ回動し、窓の開放が開始する。
【００４３】
さらに開閉アーム８の回動が進められると、先端部のローラＲは、窓の軸支部７より下方側へ周り込み、窓２の縦框３の下部側に当接する。制御部による開窓動作指令においては、この開閉アーム８の回動が、ローラＲが予め定められた窓全開角度の高さ位置に達した時点で停止するようにモータ駆動が制御され、開閉駆動機構全体の駆動が停止するものとする。従って、この所定の高さ位置で停止したローラＲは窓２の下部をこの高さ位置で支える状態となり、この支持状態で開窓動作が完了したものとする。
【００４４】
また、制御部から閉窓動作が指令された場合は、モータ駆動により伝達される回転運動が開窓動作時と逆回転に切り換えられ、縦軸１０およびギア機構を介して駆動軸９が逆軸回転となり、開閉アーム８の先端部、ローラＲは、窓２の縦框３の下部の支持状態から室内側へ後退する回動を始める。この駆動軸９による開閉アーム８の回動が進められると、ローラＲは、窓の軸支部７より上方側へ周り込み、錘６の重みによって室内側に傾斜している窓２の縦框３の上部に当接し、その後さらにこの縦框３の上部を室外側へ押し戻しながら、縦框３がほぼ垂直線上に沿うまで回動する。このように縦框３がほぼ垂直となり、下框４が窓下枠に達した時点で停止するようにモータ駆動が制御され、開閉駆動機構全体の駆動は停止する。この時、窓２は閉鎖状態となり、閉窓動作が完了したものとする。
【００４５】
一方、各窓２では、窓の開閉動作に連動して、ロック機構による施錠・解除も行われる。このロック機構としては、例えば図６に示すように、主に、窓下枠に沿って設置される筐体１３の内部を窓幅方向に沿って往復移動するロックユニット１４と、各窓２の下框４の室内側に形成された係合部１７と、縦軸１０から歯車等を利用した直交伝達機構１１を介して伝達されるモータ駆動による回転運動を、水平方向に延びて筐体１３内で連結する螺軸（不図示）に伝える六角横軸１２とから構成できる。
【００４６】
ここで、ロックユニット１４は、筐体１３内の螺軸と螺号しており、六角軸１２の軸回転に伴う螺軸の回転によって、螺軸に沿って筐体内を窓下枠と平行な長手方向に沿って所定距離を往復移動するものである。このロックユニット１４には、筐体上方から室外方向に向かって延びるフック形状を持つキャッチ部１５と、筐体下外部の室外側に設けられた突起１６とを備えている。
【００４７】
また下框４の係合部１７には、ロックユニット１４のキャッチ部１５の先端フックを受け入れるための断面閉じ括弧（」）形状を持つキャッチ受け１８と、突起１６を受け入れるための断面略逆Ｕ形状を持つ突起受け１９とが設けられている。
【００４８】
ロックユニット１４は、窓開放状態において、筐体１３内の長手方向の一方の側を待避位置として留まっており、閉窓動作の開始に伴って縦軸１０の軸回転が始まると直交伝達機構１１を介してその回転運動が六角横軸１２に伝達され、筐体１３内の螺軸も軸回転し、ロックユニット１４は待避位置から筐体長手方向の他方側へ螺軸に沿って移動する。
【００４９】
さらに閉窓動作が進行し、窓２の閉鎖直前になると、窓２の下框４はほぼ窓下枠５に近接状態となり、ロックユニット１４も下框４の係合部１７と合致し始め、互いの係合が始まる。即ち、図６（ｂ）においてロックユニット１４は紙面上方から下方へ移動しつつ、キャッチ部１５がキャッチ受け１８に受け入れられ、次いで突起１６が突起受け１９に受け入れられる。
【００５０】
本実施例においては、キャッチ部１５に対してキャッチ受け１８の受け入れ領域を幅広にしてその受け入れ開始のタイミングを突起１６の突起受け１９への受け入れ開始タイミングより所定時間前に設定した。これによって、突起１６と突起受け１９との係合状態が得られる直前に窓２が煽られて開方向へ付勢されても、すでに係合状態にあるキャッチ部１５とキャッチ受け１８とによって窓２が捕まえられているため、確実に施錠が進められる。
【００５１】
従って、窓２が閉鎖状態となり、閉窓動作終了した時点では、図６（ａ）の拡大断面図に示すように、ロックユニット１４は、キャッチ部１５とキャッチ受け１８との係合状態が得られた後に突起１６と突起受け１９とが互いに係合位置に達し、螺軸に沿った移動も停止する。このロックユニット１４と係合部１７との係合状態において、窓２の下框４の窓開方向の移動が規制され、施錠が完了する。
【００５２】
これに対し、開窓動作が開始されると、縦軸１０の閉窓動作時とは逆向きの軸回転運動が直交伝達機構１１を介して六角横軸１２に伝達され、螺軸は逆軸回転され、これに伴ってロックユニット１４が待避位置側へ移動を始める。これによって、開窓動作開始直後にまず突起１６が突起受け１９との係合位置から外れ、次いでキャッチ部１５がキャッチ受け１８との係合状態から外れてロックユニット１４と係合部１７との施錠状態が解除され、下框４は窓開方向へ移動可能となり、開窓動作が進行する。以後、開窓動作の進行に伴ってロックユニット１４の移動も進み、開窓動作終了時には、ロックユニット１４は待避位置に達し、移動が停止する。
【００５３】
以上のように、窓２の駆動機構による開閉動作とロック機構による施錠・解除動作は、互いに連結する縦軸１０、六角横軸１２によって連動させることができる。なお、複数の窓２が並設されている連窓では、各窓２毎に設置される駆動機構、ロック機構の隣り合った縦軸１０同士、六角横軸１２同士を連結して、モータ駆動による回転運動を順次伝達する構成とすれば良い。
【００５４】
また、本実施例における連窓開閉制御機構では、上記のような開閉動作を指令する制御部として、図２の回路図に示すように、所定の環境状況を測定する外部のセンサー部から得られる測定情報を制御盤にて、予め定められた開閉のための設定値を検知し、この検知結果に基づいて、制御板が駆動機構およびロック機構の駆動源である各連窓の電動モータ（Ｍ１，Ｍ２，Ｍ３）に対して開閉動作を指令するものを備えている。
【００５５】
このような窓開閉を判断するためのセンサーとしては、風速を測定する風センサーや、雨量を測定する雨センサー、外気温度・湿度を測定する外部温湿度センサー、室内の基準位置における温度・湿度を測定する内部温湿度センサーなどが一般的である。
【００５６】
これらのセンサーからの測定情報を利用した連窓の開閉制御としては、例えば、風センサーの場合、設置値を瞬間風速１０ｍ／ｓとすれば、これ以上の瞬間風速が検知された時点で閉窓動作を指令して窓を閉鎖し、強風の浸入や窓への煽り衝撃による破損を防止でき、また、また雨センサーの場合、設定値を例えば雨量０．２ｍｍ／ｈとし、これ以上の雨量が検知された時点で閉窓動ｓを指令して窓を閉鎖させるという制御が実施される。さらに、温湿度センサーでは、快適なまたは必要とされる温度、湿度条件を設置値とし、空調と窓開閉とを連動させて換気調製を行う制御も可能である。
【００５７】
これらそれぞれ設定値が定められた各センサーの測定情報からの検知結果に基づいて窓開閉動作を制御する制御盤における処理動作によって、例えば、図３のフロー図に示すような工程で、窓開閉制御による自然換気運転が行える。
【００５８】
このフローに従えば、各センサーのいずれからか上記のような設定値以上の測定値が検知された時点で、制御部は閉窓動作を指令し、また、その設定値より低い測定値が所定時間継続された時点で再度運転フローのスタートへ復帰し、各センサーからの測定値の設定条件との比較結果に応じて開窓動作の指令、あるいは閉窓状態の持続を決定し、自動的な連窓開閉制御による換気運転が行える。
【００５９】
本実施例による連窓開閉制御機構では、上記のような構成に加えて、窓のそれぞれの閉鎖完了状態を検知する閉鎖検知手段を備えることにより、連窓の確実な閉鎖と、これによる高い安全性の確保とを可能としたものである。
【００６０】
即ち、図１に示すように、各窓２の閉鎖検知手段として、近接センサー２０を、各窓２の下框４室内側面に対面する窓下枠位置に設置し、図２に示すように、制御部（制御盤）には、各近接センサー２０から下框３の近接状態、即ち窓２の閉鎖状態が得られた際に、閉鎖完了検知信号が送信される。制御部は、全近接センサー２０からこの閉鎖完了検知信号を受信した時点で閉窓動作が完全に終了したものとする。
【００６１】
さらに制御部は、近接センサー２０のうちの一つでも閉鎖完了検知信号が送られてこない場合は、連窓の窓２のなかで閉鎖状態が得られず施錠も完了していないものがあると判断し、図４に示すフロー図に従って、窓閉鎖のやり直し動作を指令する。これは、一つでも近接センサー２０から閉鎖完了が検知されない場合、連窓の閉鎖ロックが不完全であるとして、一度窓を開け戻してから再度閉じる再開閉動作を行わせるものであり、全近接センサー２０から閉鎖完了検知信号が得られるまで繰り返される。
【００６２】
例えば、閉窓動作開始時に、偶然ゴミなどが挟まってしまったり、施錠完了直前で風に煽られてしまったりして窓が閉まりきれなかった場合などは、やり直し動作を一、二回繰り返せば閉鎖完了状態は得られる。
【００６３】
ただし、窓自体やその駆動機構、ロック機構等が、何らかの事故などの異常事態で故障、破損して、閉鎖完了状態を得るのが不可能となっている場合には、何度再開閉動作を繰り返しても、問題の窓２に対応する近接センサー２０から閉鎖完了検知信号を得ることはできない。
【００６４】
そこで、このやり直し動作の繰り返し回数を予め設定しておき、再開閉動作の開始と同時に繰り返し回数をカウントし、所定の繰り返し回数をカウントした後も、閉鎖完了検知信号が全ての近接センサー２０について得られない場合には、制御部は異常事態であると判断して異常信号を表示するものとすれば良い。
【００６５】
以上のように、本実施例の連窓開閉制御機構によれば、各窓２毎に閉鎖完了検知手段（近接センサー）を設け、全窓の閉鎖完了状態が検知されるまで、再開閉のやり直し動作を繰り返すものであるので、閉鎖完了が不可能な異常事態が生じた場合以外は、閉鎖ロック不完全な状態のままで連窓の閉鎖が完了したものとして放置される危険性は回避され、窓閉鎖制御が確実に行われる。
【００６６】
また、本実施例においては、突発的な強風による煽りで窓の破損等が発生しないように衝撃を吸収する緩衝部材を設けた。さらに、このような強い衝撃を検知する衝撃センサーを設け、制御部においてこの衝撃センサーの検知結果に基づいて速やかに閉窓動作に移行せしめ、窓が強い衝撃を繰り返し受けてしまうことを防止する構成とした。
【００６７】
この緩衝部材３０は、例えば、図１、図７に示すように、各窓２の室外側縦枠の上下方向に取り付けられた側面略くノ字形状の支持部材３１の頭頂部付近に窓２の縦框３の開放側上方に位置するように設置されたものである。この緩衝部材３０は、弾性機構としてバネを利用したものであり、開放状態にある窓２が突風などで上方に煽られた際に、その縦框３に当接し、その衝突の際に弾性収縮することによって衝撃を吸収することができるものである。
【００６８】
このような縦框３との衝突時に衝撃を吸収する緩衝部材３０によって、窓２が強い力で上方に煽られても、所定開角度以上に無理矢理持ち上げられて駆動機構やロック機構等の窓２の周辺の機械的構造に損傷が生じる危険は回避され、また窓２自身の破損も防止される。
【００６９】
また、本実施例による衝撃センサー４０は、前記緩衝部材に縦框３が衝突するほど各窓２が上方に持ち上げられた際に下框４のほぼ中央部分にセンサーのリミットスイッチ４１が当接するように位置付けられている。
【００７０】
具体的には、横方向に隣り合った窓２の縦框３に設置された前記側面略くノ字形状の支持部材３１の頭頂部間に水平方向に横架、固定された丸鋼からなる水平部材３２に取り付けることにより、衝撃センサー４０を窓２の所定開角度における下框４との当接相当位置に設置することができる。なお、リミットスイッチ４１の位置付けは、縦框３が緩衝部材３０をその最大収縮量であるストローク距離Ｌ分を収縮させた時点で下框４が達する位置とする。
【００７１】
従って、制御部においては、衝撃センサー４０で衝撃が検知されたら速やかに閉窓動作を指令するものと設定することによって、緩衝部材３０では吸収しきれなくなる恐れが生じるような強い衝突がそれ以降繰り返されないうちに連窓を閉じてしまうことができる。
【００７２】
以上のように、緩衝部材３０や衝撃センサー４０を設けることによって、連窓の開放状態において、突発的な強風による煽りを受けても、窓２自身や周辺の機械的構造に損傷、破損が生じる恐れはなく、より安全性の高い連窓開閉制御が行える。
【００７３】
なお、上記実施例では、緩衝部材３０としてバネを利用したものを示したが、本発明においてはこれに限定されるものでなく、縦框３との衝突時に衝撃を吸収できるものであれば広く利用可能である。
【００７４】
また、本発明における窓開閉のための駆動機構やロック機構に関しも、上記実施例で示した構成のものに限らず、電動モータ等の駆動源からの伝達される運動によって、自動的に窓の回動および施錠・解除を連動して進行できる構成のものであれば良い。
【図面の簡単な説明】
【００７５】
【図１】本発明の一本実施例による連窓開閉制御機構を備えた連窓の概略構成図であり、（ａ）は正面図、（ｂ）は縦断面図である。
【図２】本実施例による連窓の開閉制御機構を示す概略回路図である。
【図３】本実施例の制御部による自然換気運動用の窓開閉動作を説明するフロー図である。
【図４】本実施例の制御部による閉鎖検知手段からの検出結果に基づく開閉やり直し動作を示すフロー図である。
【図５】本実施例における窓開閉のための駆動機構を示す概略縦断面図である。
【図６】本実施例のロック機構を示す説明図であり、（ａ）はロック機構を構成するロックユニットと係合部との係合状態を示す縦断面部分図であり、（ｂ）は、係合状態におるロック機構を上方から見た部分平面図である。
【図７】本実施例における緩衝部材の概略構成を示す部分拡大図である。
【図８】本実施例における衝撃センサー部を示す部分拡大図である。
【符号の説明】
【００７６】
１：連窓
２：窓
３：縦框
４：下框
５：上框
６：錘
７：軸支部（窓）
８：開閉アーム
９：駆動軸
Ｒ：ローラ（アーム先端部）
１０：縦軸
１１：直交伝達機構
１２：六角横軸
１３：筐体（ロック機構）
１４：ロックユニット
１５：キャッチ部
１６：突起
１７：係合部
１８：キャッチ受け
１９：突起受け
２０：近接センサー
３０：緩衝部材
３１：支持部材
３２：水平部材
４０：衝撃センサー
４１：リミットスイッチ
【図１】
0003693058.tif 000002
【図２】
0003693058.tif 000003
【図３】
0003693058.tif 000004
【図４】
0003693058.tif 000005
【図５】
0003693058.tif 000006
【図６】
0003693058.tif 000007
【図７】
0003693058.tif 000008
【図８】
0003693058.tif 000009